【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
被験体に対してインピーダンス測定を行う際に用いられる装置であって、
ａ）前記被験体の手足にそれぞれ接続された複数の第１電極を介して前記被験体に第１信号が印加されるようにし、
ｂ）前記被験体の手足にそれぞれ接続された複数の第２電極を介して前記被験体において測定された第２信号の指示を確定し、
ｃ）前記第２信号の前記指示を用いて、許容できない不平衡が存在するか否かを確定し、
ｄ）許容できない不平衡が存在する場合、
ｉ）前記不平衡に従って、変更第１信号を確定し、
ｉｉ）前記変更第１信号が前記被験体に印加されるようにし、それにより少なくとも１つのインピーダンス測定が行われ得るようにする
処理システムを有する装置。
【請求項２】
前記処理システムが、
ａ）前記第２信号を閾値と比較し、
ｂ）前記比較の結果に応じて許容できない不平衡が存在するか否かを確定する、請求項１に記載の装置。
【請求項３】
前記第２信号が、それぞれの第２電極において検知される電圧を含み、前記処理システムが、
ａ）前記第２電極の各々において検知される電圧を確定し、
ｂ）加算電圧を確定し、
ｃ）前記加算電圧を用いて前記不平衡を確定する、請求項１または２に記載の装置。
【請求項４】
前記加算電圧がコモンモード信号である、請求項３に記載の装置。
【請求項５】
前記処理システムが、前記不平衡を低減するように前記変更第１信号を確定する、請求項１〜４のいずれか一項に記載の装置。
【請求項６】
第１信号が少なくとも２つの第１電極を介して前記被験体に印加され、前記処理システムが、前記第１電極のうちの少なくとも１つに印加される少なくとも１つの第１信号の位相および大きさのうちの少なくとも一方を変更することにより、前記第１信号を変更する、請求項５に記載の装置。
【請求項７】
ａ）前記第１信号が、前記被験体の第１肢および第２肢に結合された第１電極を介して印加され、
ｂ）前記第２信号が、前記被験体の第３肢および第４肢に結合された第２電極を介して検知され、前記第３肢および前記第４肢が前記第１肢および前記第２肢とは異なる、請求項１〜６のいずれか一項に記載の装置。
【請求項８】
前記処理システムが、
ａ）前記第１信号が第１電極を介して印加されるようにし、
ｂ）複数の第２電極の各々において検知される第２信号の指示を確定し、
ｃ）前記第２電極のうちの選択されたものにおいて検知される第２信号を選択し、
ｄ）前記選択された第２信号を用いて不平衡が存在するかどうかを確定する、請求項１〜７のいずれか一項に記載の装置。
【請求項９】
前記第１信号が、第１電極を用いて前記被験体に印加される電圧を含み、前記第２信号が、それぞれの第２電極において検知される電圧を含む、請求項１〜８のいずれか一項に記載の装置。
【請求項１０】
前記処理システムが、
ａ）前記第１信号を前記被験体に印加することによってもたらされる検知電流を確定し、
ｂ）前記被験体にかかる検知電圧を確定し、
ｃ）前記検知電流および前記検知電圧を用いてインピーダンスパラメータを確定する
ことにより、インピーダンス測定を行う、請求項１〜９のいずれか一項に記載の装置。
【請求項１１】
前記処理システムが、
ａ）前記第１信号を前記被験体に印加することによってもたらされる検知電流を確定し、
ｂ）前記検知電流を閾値と比較し、
ｃ）前記比較の結果に応じて前記インピーダンス測定プロセスを選択的に停止する、請求項１〜１０のいずれか一項に記載の装置。
【請求項１２】
前記処理システムが、
ａ）前記第１信号を前記被験体に印加することによってもたらされる検知電流を確定し、
ｂ）前記変更第１信号を確定するために前記検知電流を用いる、請求項１〜１１のいずれか一項に記載の装置。
【請求項１３】
前記処理システムが、
ａ）第１信号が第１周波数で前記被験体に印加されるようにし、
ｂ）前記被験体において測定される第２信号の指示を確定し、
ｃ）前記第２信号の前記指示を用いて不平衡が存在するかどうかを確定し、
ｄ）許容できない不平衡が存在しない場合、少なくとも前記第２信号の前記指示を用いて少なくとも１つのインピーダンス値を確定し、
ｅ）許容できない不平衡が存在する場合、
ｉ）前記不平衡に従って変更第１信号を確定し、
ｉｉ）前記変更第１信号が前記被験体に印加されるようにし、
ｉｉｉ）前記被験体において測定される変更第２信号の指示を確定し、
ｉｖ）前記変更第２信号の前記指示に対してステップｃ）〜ｅ）を繰り返し、
ｆ）少なくとも１つの第２周波数に対してステップａ）〜ｅ）を繰り返す、請求項１〜１２のいずれか一項に記載の装置。
【請求項１４】
前記処理システムが、
ａ）第１電極を介して、電圧駆動信号が前記被験体に印加されるようにし、
ｂ）前記電圧駆動信号によってもたらされる検知電流信号を確定し、
ｃ）それぞれの第２電極を介して測定される検知電圧を確定し、
ｄ）前記検知電圧から身体中心電圧を確定し、
ｅ）前記検知電流信号、前記電圧駆動信号および前記身体中心電圧を用いて、前記被験体に対する上部インピーダンスおよび下部インピーダンスを確定し、
ｆ）前記上部インピーダンスおよび前記下部インピーダンスならびに理想電流信号指示を用いて、変更電圧駆動信号を確定する、請求項１〜１３のいずれか一項に記載の装置。
【請求項１５】
前記電圧駆動信号が、それぞれの第１電極を介して前記被験体に印加される第１電圧駆動信号および第２電圧駆動信号を含み、前記第１電圧駆動信号が第１大きさおよび第１位相を有し、前記第２電圧駆動信号が第２大きさおよび第２位相を有し、前記処理システムが、
ａ）前記第１位相、
ｂ）前記第１大きさ、
ｃ）前記第２位相、および
ｄ）前記第２大きさ
のうちの少なくとも１つを変更することにより、前記変更電圧駆動信号を確定する、請求項１４に記載の装置。
【請求項１６】
前記処理システムが、
ａ）前記変更電圧駆動信号が前記被験体に印加されるようにし、
ｂ）それぞれの第２電極を介して測定される検知電圧を確定し、
ｃ）前記検知電圧を用いて許容できない不平衡が存在するか否かを確定し、
ｄ）許容できない不平衡が存在する場合、
ｉ）さらなる変更電圧駆動信号を確定し、
ｉｉ）あらゆる不平衡が許容可能となるまでステップ（ａ）〜（ｄ）を繰り返す、請求項１４または１５に記載の装置。
【請求項１７】
前記処理システムが、複数の周波数でのインピーダンス測定を順に行うステップを含む、請求項１〜１６のいずれか一項に記載の装置。
【請求項１８】
前記処理システムが、
ａ）第１周波数に対し、
ｉ）許容可能な不平衡をもたらす変更第１信号を確定するステップと、
ｉｉ）前記変更第１信号を用いてインピーダンス測定が行われるようにするステップと、
ｂ）第２周波数に対し、
ｉ）前記被験体に第１信号が印加されるようにするステップであって、前記第１信号が、前記第１周波数に対して確定された前記変更第１信号に基づく、ステップと、
ｉｉ）許容できない不平衡が存在するか否かを確定するステップと、
を含む、請求項１７に記載の装置。
【請求項１９】
前記処理システムが、
ａ）第１周波数に対し、
ｉ）それぞれの第１電極を介して前記被験体に第１電圧駆動信号および第２電圧駆動信号が印加されるようにするステップと、
ｉｉ）許容可能な不平衡をもたらす変更第１電圧駆動信号および変更第２電圧駆動信号を確定するステップであって、前記第１電圧駆動信号が第１大きさおよび第１位相を有し、前記第２電圧駆動信号が第２大きさおよび第２位相を有する、ステップと、
ｂ）第２周波数に対し、
ｉ）前記被験体に対し第１電圧駆動信号および第２電圧駆動信号が印加されるようにするステップであって、前記第１電圧駆動信号が前記第１大きさおよび前記第１位相を有し、前記第２電圧駆動信号が前記第２大きさおよび前記第２位相を有する、ステップと、
ｉｉ）許容できない不平衡が存在するか否かを確定するステップと、
を含む、請求項１８に記載の装置。
【請求項２０】
前記処理システムが、
ａ）制御信号を生成し、
ｂ）前記制御信号を少なくとも１つの信号発生器に転送することにより、前記第１信号が前記被験体に印加されるようにし、
ｃ）前記少なくとも１つの信号発生器から、前記被験体に印加される前記１つまたは複数の信号の指示を受け取り、
ｄ）少なくとも１つのセンサから前記被験体において測定される１つまたは複数の第２信号の指示を受け取り、
ｅ）前記指示の少なくとも予備処理を行うことにより、インピーダンス値が確定され得るようにする、請求項１〜１９のいずれか一項に記載の装置。
【請求項２１】
２つの第２電極の各々において測定される第２信号を増幅する差動増幅器を有する、請求項１〜２０のいずれか一項に記載の装置。
【請求項２２】
前記差動増幅器が、
ａ）前記第２電極において測定される前記電圧を示す差動電圧、および
ｂ）任意の不平衡を示すコモンモード信号
の少なくとも一方を生成する、請求項２１に記載の装置。
【請求項２３】
第１電極を介して前記被験体に前記第１信号を印加する少なくとも１つの信号発生器を有する、請求項１〜２２のいずれか一項に記載の装置。
【請求項２４】
各信号発生器が、
ａ）前記処理システムから１つまたは複数の制御信号を受け取り、
ｂ）前記制御信号を増幅し、それにより前記第１信号を生成する、請求項２３に記載の装置。
【請求項２５】
各信号発生器が、
ａ）前記第１信号を前記被験体に印加することによってもたらされる検知電流を確定し、
ｂ）前記検知電流の指示を前記処理システムに供給する、請求項２３または２４に記載の装置。
【請求項２６】
少なくとも２つの信号発生器を有し、各信号発生器が、それぞれの第１電極に接続される、請求項２３〜２５のいずれか一項に記載の装置。
【請求項２７】
第２電極を介して前記第２信号を測定する少なくとも１つのセンサを有する、請求項２３〜２６のいずれか一項に記載の装置。
【請求項２８】
少なくとも２つのセンサを有し、各センサがそれぞれの第２電極に接続される、請求項２７に記載の装置。
【請求項２９】
複数の電極システムを有し、各電極システムが、
ａ）センサ、および
ｂ）信号発生器
を有する、請求項１〜２８のいずれか一項に記載の装置。
【請求項３０】
電極システムが、
ａ）信号発生器およびセンサが実装されている第１基板と、
ｂ）少なくとも２つの導電性パッドが実装されている第２基板であって、前記導電性パッドが、使用時に前記信号発生器および前記センサを被験体に結合するための第１電極および第２電極を形成する、第２基板と、
を有する、請求項２９に記載の装置。
【請求項３１】
前記電極システムが、前記第１電極と前記第２電極との間の容量結合をキャンセルするための容量キャンセル回路を有する、請求項２９または３０に記載の装置。
【請求項３２】
前記容量キャンセル回路が、信号発生器出力をセンサ入力に結合するための反転増幅器を有する、請求項３１に記載の装置。
【請求項３３】
前記反転増幅器が、容量キャンセル信号を前記センサ入力に印加し、それにより前記第１電極と前記第２電極との間のいかなる実効静電容量もキャンセルする、請求項３２に記載の装置。
【請求項３４】
反転増幅器出力が、
ａ）抵抗器、
ｂ）コンデンサ、および
ｃ）インダクタ
のうちの少なくとも１つを介して前記センサ入力に結合される、請求項３２または３３に記載の装置。
【請求項３５】
抵抗器およびコンデンサのうちの少なくとも一方が調整可能であり、それにより、前記センサ入力に印加される容量キャンセル信号を制御することができる、請求項３４に記載の装置。
【請求項３６】
前記電極システムが、センサ入力における実効入力静電容量をキャンセルするための入力容量キャンセル回路を含む、請求項２９〜３５のいずれか一項に記載の装置。
【請求項３７】
前記電極システムが、センサ出力を前記センサ入力に接続するフィードバックループを有する、請求項２９〜３６のいずれか一項に記載の装置。
【請求項３８】
前記フィードバックループが、
ａ）抵抗器、
ｂ）コンデンサ、および
ｃ）インダクタ
のうちの少なくとも１つを含む、請求項３７に記載の装置。
【請求項３９】
抵抗器およびコンデンサのうちの少なくとも一方が調整可能であり、それにより、前記センサ出力から前記センサ入力への電流フローを制御することができる、請求項３８に記載の装置。
【請求項４０】
前記フィードバックループが、前記センサ入力に入力容量キャンセル信号を印加し、それにより前記センサ入力におけるいかなる実効静電容量もキャンセルする、請求項３８または３９に記載の装置。
【請求項４１】
ａ）複数の電極システムであって、各電極システムが信号発生器およびセンサを有する、電極システムと、
ｂ）前記測定装置を前記電極システムに接続するための複数のリードであって、各リードが、
ｉ）前記測定装置と前記信号発生器とを接続し、前記測定装置と前記センサとを接続するための少なくとも２つの接続と、
ｉｉ）前記少なくとも２つの接続の各々に対するシールドであって、電気的に接続され、かつ前記測定装置および前記電極システムの各々において基準電圧に接続される、シールドと、
を有するリードと、
を有する、請求項１〜４０のいずれか一項に記載の装置。
【請求項４２】
ａ）少なくとも２つの電極システムであって、各電極システムが、
ｉ）第１信号を前記被験体に印加する信号発生器と、
ｉｉ）前記被験体における第２信号を検知するセンサと、
ｉｉｉ）前記信号発生器を前記被験体に結合する第１電極と、
ｉｖ）前記センサを前記被験体に結合する第２電極と、
を有する電極システムと、
ｂ）インピーダンス測定を行うことができるように前記電極システムを制御する測定装置と、
ｃ）前記測定装置を前記電極システムに接続するための少なくとも２つのリードと、
を有する、請求項４１に記載の装置。
【請求項４３】
前記リードが、使用時に、
ｉ）前記測定装置から異なる方向に延在し、それによりそれらの間の誘導結合を低減し、かつ／または
ｉｉ）前記リード長を最小限にする
ように配置される、請求項４２に記載の装置。
【請求項４４】
前記処理システムをコンピュータシステムに結合するインタフェースを有し、前記処理システムが、
ａ）前記コンピュータシステムから受け取った命令に従って制御信号を生成し、
ｂ）インピーダンス値を確定することができるように、測定されたインピーダンス値を示すデータを前記コンピュータシステムに提供する、請求項１〜４３のいずれか一項に記載の装置。
【請求項４５】
前記第１信号が、少なくとも２つの第１電極を介して前記被験体に印加される２つの第１信号を含み、前記第２信号が、２つの第２電極において検知される２つの第２信号を含む、請求項１〜４４のいずれか一項に記載の装置。
【請求項４６】
被験体に対してインピーダンス測定を行う際に用いられる方法であって、処理システムにおいて、
ａ）前記被験体の手足にそれぞれ接続された複数の第１電極を介して前記被験体に第１信号が印加されるようにするステップと、
ｂ）前記被験体の手足にそれぞれ接続された複数の第２電極を介して前記被験体において測定された第２信号の指示を確定するステップと、
ｃ）前記第２信号の指示を用いて不平衡が存在するかどうかを確定するステップと、
ｄ）不平衡が存在する場合、
ｉ）前記不平衡に従って変更第１信号を確定し、
ｉｉ）前記変更第１信号が前記被験体に印加されるようにし、それにより少なくとも１つのインピーダンス測定を行うことができるようにするステップと、
を含む方法。
【手続補正２】
【補正対象書類名】明細書
【補正対象項目名】００１８
【補正方法】変更
【補正の内容】
【００１８】
概して、本処理システムは、複数の周波数でのインピーダンス測定を順に行うことを含む。
概して、本処理システムは、
ａ）第１周波数に対し、
ｉ）許容可能な不平衡をもたらす変更第１信号を確定するステップと、
ｉｉ）変更第１信号を用いてインピーダンス測定が行われるようにするステップと、
ｂ）第２周波数に対し、
ｉ）被験体に第１信号が印加されるようにするステップであって、第１信号が、第１周波数に対して確定された変更第１信号に基づく、ステップと、
ｉｉ）許容できない不平衡が存在するか否かを確定するステップと、
を含む。
【手続補正３】
【補正対象書類名】明細書
【補正対象項目名】００１９
【補正方法】変更
【補正の内容】
【００１９】
概して、本処理システムは、
ａ）第１周波数に対し、
ｉ）それぞれの第１電極を介して被験体に第１電圧駆動信号および第２電圧駆動信号が印加されるようにするステップと、
ｉｉ）許容可能な不平衡をもたらす変更第１電圧駆動信号および変更第２電圧駆動信号を確定するステップであって、第１電圧駆動信号が第１大きさおよび第１位相を有し、第２電圧駆動信号が第２大きさおよび第２位相を有する、ステップと
ｂ）第２周波数に対し、
ｉ）被験体に対し第１電圧駆動信号および第２電圧駆動信号が印加されるようにするステップであって、第１電圧駆動信号が第１大きさおよび第１位相を有し、第２電圧駆動信号が第２大きさおよび第２位相を有する、ステップと、
ｉｉ）許容できない不平衡が存在するか否かを確定するステップと、
を含む。